Podtech/llm-jp-corpus-v4-ja_patent huggingface dataset:
(57)【要約】      （修正有）【課題】直角に歯間にブラシを挿入することが容易にできる歯間ブラシを提供する。【解決手段】長手ロッド１は、歯の中央側になるように配置する。右側の歯間を磨く場合は、右手で長手ロッドを持ち、長手ロッドとブラシ４を略水平に保ちながら、直角に歯間にブラシを挿入することが容易にでき、短時間で、歯間と歯肉を容易に、正確に、磨きに偏りが無く、安定して、奥歯間まで磨く事が出来る。又左側の歯間を磨く場合は左手で長手ロッドを持ち、長手ロッドとブラシを略水平に保ち、直角に歯間にブラシを挿入することで、奥歯間まで磨く事が出来る。【選択図】図１
2020192192.tif 000002
【特許請求の範囲】
【請求項１】
長手ロッド状の柄部の先端に直角に先端ロッドを設ける。先端ロッドの先端に直角
にブラシ用台座を取り付ける。ブラシ用台座にブラシを長手ロッドの柄部側に向かっ
て平行に延び出すように設置する、裏面用歯間ブラシ。
【発明の詳細な説明】
【技術分野】
【０００１】
本発明は、歯間を磨くブラシに関するものである。
【背景技術】
【０００２】
側面から歯間を磨く事は容易でなく、特に奥歯の歯間を正確に短時間で磨く事は
困難である事は知られている。
【先行技術文献】
【特許文献】
【０００３】
【特許文献１】特開２００３−３１９８３０
【特許文献２】特開２００８−１５４９０１
【特許文献３】特開２００９−２４０４９３
【特許文献４】特開２０１０−０８２０２９
【特許文献５】再表２０１６−１６７１９１
【特許文献６】特開２０１６−１９８５４６
【特許文献７】特開２０１８−０２５３０３
【発明の概要】
【発明が解決しようとする課題】
【０００４】
従来から不完全な歯間の清掃が、虫歯の原因とされていた。しかしながら歯間を
正しく磨く事は簡単ではなく、特に奥歯の歯間を磨く事は容易でなく、正しく磨くには
時間が掛かり、簡単ではなかった。本発明は以上の問題を解決するために、
裏面用歯間ブラシを提供することにある。
【課題を解決するための手段】
【０００５】
長手ロッド状１の柄部の先端に直角に先端ロッド２を設ける。
先端ロッド２の先端に直角にブラシ用台座３を取り付ける。
ブラシ４をブラシ用台座３に、長手ロッド１の柄部側に向かって平行に延び出すように
した。以上の構成によりなる裏面用歯間ブラシ。
【発明の効果】
【０００６】
虫歯の原因とされていた、歯間を正確に、短時間で磨く事は困難です。
長手ロッドとブラシを略水平な状態からブラシを裏面から歯並びに直角にブラシを
歯間に挿入し、磨く事により、容易に、短時間で、正確に、安定して奥歯間まで、
磨く事が出来る。このことにより、虫歯の患者数の減少が考えられ、医療費の低減
に貢献できるという利点がある。
【図面の簡単な説明】
【０００７】
【図１】図１は本発明の平面図
【図２】図２は本発明の断面図
【発明を実施するための形態】
【０００８】
以下本発明の実施の形態を説明する。
（イ）         長手ロッド１    先端ロッド２    ブラシ用台座３    ブラシ４
本発明を使用するときは、長手ロッド１とブラシ４を略水平な状態からブラシ４を
裏面から歯並びに直角にブラシ４を歯間に挿入し、長手ロッド１を歯の先端に接触
するようにして磨くと容易に、短時間で、正確に、安定して奥歯間まで良く磨ける。
【符号の説明】
【０００９】
１    長手ロッド
２    先端ロッド
３    ブラシ用台座
４    ブラシ
【図１】
2020192192.tif 000003
【図２】
2020192192.tif 000004
(57)【要約】      （修正有）【課題】醤油及びソース注し容器でノズルから液ダレせず、また、転倒時に極力零れずに吐出量が調整できる容器を複雑化せずに提供する。【解決手段】流体容器はノズル内筒出口５先端上部からノズル内筒入口４下部に傾斜するように棒状のガイド６を配置することで、醤油はガイドを伝いガイドプレート７内部の戻り口８から容器内部に戻される機構で、ノズル内筒出口から容器外へのこぼれや滲みを解消させる。ノズル内筒出口から注がれる液量は、ノブ９内側にシリコン製パッキン１０を固定し、ネジブロック１１に締め込まれ、ツマミねじの締め込み量によってパッキンと通気孔１２の隙間によって通気量が調整でき、醤油の絞り量によって停止まで無段階の流量調整が可能となる。【選択図】図１
2020192299.tif 000002
【特許請求の範囲】
【請求項１】
醤油注し等のノズルを有する液体供給容器は、注ぎ終わった後に表面張力によって注ぎ口内筒に残る液体がガイドを組み込むことによって液体自重が表面直力に打ち勝ち容器内に戻される機構を有する液体供給容器。
【請求項２】
醤油注し等の通気孔を有する液体供給容器で、通気孔の通気量をノブの締め込み量で調整しノズルから注がれる量を無段階調整にすることで、注ぎたい量の選択肢も増える。ノブを最大に絞った場合は通気孔が閉じられ流量が停止すると同時に、塵や埃等の異物の混入も抑制し容器転倒時でも殆どこぼれない醤油等の容器となる。
【発明の詳細な説明】
【技術分野】
【０００１】  本発明は、醤油及びソース注し容器でノズルから液ダレしない良好な容器にすること及びノズルからの吐出量が調整できることで健康な生活を送ること目的の容器に関する。
【背景技術】
【０００２】  醤油及びソース注し容器のノズル内筒には注いだ後に少量の液体が表面張力によって残り、容器内部の温度変化による気圧変化によって膨張や液自重により液ダレすると考えられる。【０００３】  醤油注しの注ぐ量は傾け方で調整する方法が一般的で、通気孔を指で塞ぎ調整することも可能だが注ぐ量の調整は難しく多く注ぐ傾向にある。また通気孔が開放されていることで塵や埃等の異物の混入にも繋がる。
【先行技術文献】
【特許文献１】特開平２００６−２１８９０公報
【発明の概要】
【発明が解決しようとする課題】
【０００４】  醤油及びソース注し容器のノズル内筒には注いだ後に少量の液体が表面張力によって残り、それが液ダレし容器側面から底面まで伝い容器底の型までテーブル等に付き不衛生な状態になる。このノズル内筒に残る液はノズルの直径４ｍｍの場合で１回当たり０．２ＣＣと僅かなものであったが、容器内に戻すことが可能であれば衛生的環境が整えられる。【０００５】  醤油及びソース注し容器は転倒させるとすぐに零れるが、零れる原因の通気孔は閉じると醤油が出ない。通気孔は容器上部または容器上部側面に円上の穴が空けられ開放されていて、塵や埃等の異物の混入にも繋がる一方で健康志向から摂取量を抑えたい方も増えている。この転倒時に極力零れずに吐出量が調整できる容器を複雑化させずに提供することにある。
【課題を解決するための手段】
【０００６】  本発明の流体容器は複雑な機構を用いることなく、図１に示すように５ノズル出口先端上部から４ノズル入口下部に傾斜するように６棒状のガイドを配置することで、醤油は６ガイドを伝い７ガイドプレート内部の８戻り口から表面張力に打ち勝った醤油が１容器内部に戻され落される機構で、５ノズル出口から容器外へのこぼれや滲みを解消させる。【０００７】  ５ノズル出口から注がれる液量は、９ノブ内側に１０パッキンを固定し、１１ねじブロックに締め込まれる。９ノブの締め込み量によって１０パッキンと１２通気孔の隙間によって通気量が調整でき、醤油の流量を大量、中量、小量や流量停止まで無段階の流量調整が可能となり、塩分の取り過ぎへの意識喚起が健康管理につながると同時に、９ノブを最後まで締め込み流量停止状態で保管することで、塵や埃等の異物の混入も抑え、従来の通気孔方式の醤油注しに比べ容器転倒時でも殆どこぼれない醤油注しとなる。
【発明の効果】
【０００８】  本発明の醤油注しはノズル内部に残る少量の醤油が、カイドを伝い容器内部に自重によって伝い、表面張力打ち勝つことで完全に容器内に落ちることで、ノズルから容器外へのこぼれや滲みが解消される。【０００９】  本発明の醤油注しは通気量を、大量、中量、小量等の無段階調整が可能となることで、注ぎたい量の選択肢も増え、流量停止まで絞った場合塵や埃等の異物の混入も抑えられ、容器転倒時でも殆どこぼれない醤油等の容器となる。
【図面の簡単な説明】
【００１０】
【図１】  本発明に係る立体側面図である。
【図２】  本発明に係る傾斜側面図である。
【図３】  容器蓋部上面図である。
【図４】  正面ノズル内筒拡大図（醤油を注いだ直後）
【発明を実施するための形態】
【００１１】  待機時の図１から図２のように容器を傾けることで５ノズル内筒出口から醤油が注がれる。注ぎ終え図１の立体側面図の状態戻した後、醤油は４ノズル内筒入口に図４のように表面張力が発生し一時的に醤油が残るが、６ガイドはノズル入口を下に、ノズル出口を上にした傾斜を付けて組み込むことで、醤油は６ガイドを徐々に伝い自重が表面張力に打ち勝ち醤油面が割れて、８戻り口から少しずつ容器内部に落ち５ノズル内筒に醤油が残らない。
【００１２】  図１の９ノブ内側に１０パッキンが固定させ、１１ネジブロックに締め込む。９ノブを緩めると１０パッキンと１２通気孔が開き、図２のように容器を傾けると通気によって５醤油ノズル出口から醤油が注がれる。また９ノブを最後まで閉めこむことで１０パッキンと１２通気孔が完全に閉じられ、５醤油ノズルから醤油は注がれない。
【産業上の利用可能性】
【００１３】  複雑な機構を有しないこの液ダレしない容器のノズル部分は従来にない発想で、容器内に液体が戻ることにあり衛生且つ環境面でもノズルを持つ容器等でも活用可能であり、通気孔の活用もありそうで無かったものである。
【符号の説明】１  容器本体
２  容器上部
３  ノズル外筒
４  ノズル内筒入口
５  ノズル内筒出口
６  ガイド
７  ガイドプレート
８  戻り口
９  ノブ
１０  シリコン製パッキン
１１  ネジブロック
１２  通気孔
【図１】
2020192299.tif 000003
【図２】
2020192299.tif 000004
【図３】
2020192299.tif 000005
【図４】
2020192299.tif 000006
(57)【要約】【課題】紙オムツにおいて、自分ひとりで寝たままでも簡単に、シーツをよごさず交換廃棄できることを目的とする。【解決手段】単体片からなり、上下部分が中心横線においてパンツ形、ブリーフ形の上下対称になっており足までオムツを、下ろさなくても、両サイドのマジックはずすだけで、腰を少し浮かして、横にずらすだけで容易に廃棄でき、かつ汚物が落下しにくく、シーツが汚れにくい。【選択図】図３
2020192298.tif 000002
【特許請求の範囲】
【請求項１】
単体の１片からなり、上部分と下部分は、全体の中心の横線において上下対称になっており、上下部分それぞれパンツ型、ブリーフ型の形をなしており、中心の横線部分を起点として下部分を上部分に、折り曲げ、重ねて、端のマジックテープ接合部分を結合、分離することにより、装着、廃棄することを特徴とする、自分で寝たまま装着、廃棄可能な紙オムツ。
【発明の詳細な説明】
【技術分野】
【０００１】この発明は両サイド着脱型紙オムツに関するものである。
【背景技術】
【０００２】  この発明の着脱型紙オムツは、パンツ形、ブリーフ形の上下対称の単体の一片で構成されるものである。上下部分の接合する部分を接合部分といい、接合しない部分を非接合部分という。【０００３】一人暮らしなどで、突発的なギックリ腰などで、第三者の介護を要しない程度の軽い症状の人が、自分ひとりで、寝たままで、オムツの着脱廃棄をシーツを汚さないで容易にできるタイプのものがいままでなかった。
【発明が解決しようとする課題】
【０００４】したがって、穿くタイプは足までさげる必要があり、困難さを伴い、汚物も落ちやすく、したがってシーツも汚れやすかった。
従来の、今まであるマジックテープは、第三者の介護を前提としているものであり、形状面積から、自分ひとりで汚さないで着脱廃棄は困難なことであった。
【０００５】したがって、いままでは自分一人で、穿くタイプの紙オムツの両サイドを、ハサミでカットして腰部分を少し浮かせて、オムツを腰の斜め横下方向に、ずらすだけで、脱着廃棄を汚すことなくできていたが、いちいちハサミをつかって廃棄することは、とても面倒なことであった。
【課題を解決するための手段】
【０００６】この考案のオムツは単体の一片で構成されており、中心の横線部分を起点として下部分を上部分に折り曲げて、両サイドマジックテープ部分を接合することで装着できる。脱着廃棄する際、足までオムツをさげる必要がなく、自分ひとりで寝たままで、腰を少し浮かすだけで、体の横にオムツをずらすせる。
【発明の効果】
【０００７】高齢化社会で一人暮らしの人が増えている状況のなかで自分ひとりで簡単着脱できる。。
【実施例１】
【０００８】この発明の両サイド型着脱オムツの非装着状態を図１にしめす。
このオムツはパンツ形、ブリーフ形の上下対称の単体の一片により構成されている。上下部分の中心横線において、折り曲げることにより両サイドでマジックテープで接合できる。【０００９】両サイド部分に接合部分と非接合部分がある。【００１０】図１に示すのは装着した状態のオムツである。【００１１】以上記載したものが今回発明の両サイド着脱型紙オムツの構成と使用方法である。【００１２】図３に、この発明における廃棄の容易さを図解する。
【産業上の利用可能性】
【００１３】この発明は高齢化社会で一人暮らしがふえている状況において非常に利用でき役立つものである。
【図面の簡単な説明】
【００１４】
【図１】この発明を適用する両サイド着脱型オムツの非装着状態の平面図である。
【図２】おなじく装着図である。
【図３】この発明の実施例を適用したオムツの脱着廃棄の図である。
【符号の説明】
【００１５】１，２    マエープジックテープ接合部分
ａ        マジックテープ非接合部分
３        オムツ単体片
ｂ        中心横線
６        テープをはずしてオムツの上部分、を下に下ろした状態。
７        体の斜め横にずらした状態。
８        上下部分をあわせて廃棄。
【図１】
2020192298.tif 000003
【図２】
2020192298.tif 000004
【図３】
2020192298.tif 000005
(57)【要約】      （修正有）【課題】がん患者の血液を採取し、それに抗がん剤を混ぜ注射器で自身のがん病巣の中心に注入する治療法を提供する。【解決手段】抗がん剤をがん患者自身の血液と混ぜることにより、患者の生体が抗がん剤入りの血液を自身の血液と認識して細胞内に吸収することで、がん細胞の細胞膜の内側に侵入でき、抗がん剤が、がん化した細胞の核に直接作用でき、がん細胞だけを選択的に破壊できることが期待できるのである。抗がん剤をがん患者の血液、赤血球等サイズの大きい物も除去しない採決したままの血液と混ぜてがん細胞に注射すると、その状態を生体側は体内に出血が生じたと認識して、出血全体を吸収して出血以前の状態を回復するための対応をする。この過程を利用して抗がん剤をその周辺のがん細胞組織に吸収させようとするのである。【選択図】なし【特許請求の範囲】
【請求項１】
人間の生体には、体内に出血があった場合に、出血を即座に吸収し従前の状態を復元しようとする能力があるのでそのことを利用し、がん患者の血液を採取し何ら血液成分を除去することなく、その血液に抗がん剤を混ぜ注射器で自身のがん病巣の中心に注入する治療法。
【発明の詳細な説明】
【技術分野】
【０００１】この発明は、がん患者の血液を採取し、それに抗がん剤を混ぜ注射器で自身のがん病巣の中心に注入する治療法である。
【背景技術】
【０００２】  従来、癌治療はがん患者に対して、抗がん剤を点滴によって投与し治療する方法が中心である。
【発明の開示】
【発明が開示しようとする課題】
【０００３】  これらには次のような欠点があった。
この方法では治療の経過として副作用が伴っている。すなわち、抗がん剤を点滴することで確かにがん細胞に抗がん剤が届き、がん細胞を攻撃できるが、方法が点滴であるため健康な細胞も抗がん剤にさらされ、吐き気、脱毛、体調不良等の副作用が生ずる。そこで、これらの副作用を取り除く方法が必要となった。
つまり、抗がん剤ががん細胞に対してのみ作用する方法が求められたのである。
【課題を解決するための手段】
【０００４】  課題を解決するため、この発明は、がん患者の血液を採取し、それに抗がん剤を混ぜ注射器で自身のがん病巣の中心に注入する治療法を採用した。
がん細胞だけを攻撃するために、がん細胞の細胞膜を通過でき、しかも細胞内の細胞核の核膜やその中の染色体に攻撃のできる特殊な抗がん剤が必要となる。それが開発できれば、がん患者の血液成分が抗がん剤の運搬役となり、がん細胞内に入り込みがん細胞だけを攻撃消滅させることが出来る。
がん細胞の中心に血液に混ぜた抗がん剤を注入すると、がん化したとはいえその細胞はまだがん患者自身の細胞としてのアイデンティティーを持っているので、抗がん剤入りの血液を、出血と捉えて吸収し、がん細胞は自分の細胞を経由して周辺の正常細胞へ、吸収した血液を排出しようとする。このプロセスを利用するのである。抗がん剤入りの血液は、がん細胞の中心から個々のがん細胞や細胞の間など、通過できる総ての場所を通過して、周辺の細胞へと伝達される。その間に抗がん剤だけががん細胞によって消費されるプログラムを構成する必要があるのである。正常細胞に伝達される物質は、抗がん剤を含まない無害な物質になっていることが求められる。
【発明の効果】
【０００５】  抗がん剤を正常な細胞にたいしてさらすことがなく、がん細胞だけを直接攻撃できる。また、抗がん剤をがん患者自身の血液と混ぜることにより、患者の生体が抗がん剤入りの血液を自身の血液と認識して細胞内に吸収することで、がん細胞の細胞膜の内側に侵入でき、抗がん剤が、がん化した細胞の核に直接作用でき、がん細胞だけを選択的に破壊できることが期待できるのである。
抗がん剤をがん患者の血液、赤血球等サイズの大きい物も除去しない採決したままの血液と混ぜてがん細胞に注射すると、その状態を生体側は体内に出血が生じたと認識して、出血全体を吸収して出血以前の状態を回復するための対応をする。この過程を利用して抗がん剤をその周辺のがん細胞組織に吸収させようとするのである。
【発明を実施すべき最良の形態】
【０００６】  以下、本発明の実施形態について説明する。
人間の生体には、体内に出血があった場合に、出血を即座に吸収し従前の状態を復元しようとする能力があるのでそのことを利用し、がん患者の血液を採取し何ら血液成分を除去することなく、その血液に抗がん剤を混ぜ注射器で自身のがん病巣の中心に注入する治療法の実施。
(57)【要約】【課題】  海上で、遭難した時、救命胴衣だけでは、サメからの被害に弱く、又、雨、風、日射から、体を保護できず、生存率が低くなる。【解決手段】  飛行機や船の事故の時、家族用で、４ｍ四方以上、１人用で、３ｍ四方以上のシートを小さくした形で、袋に入れ、救命胴衣と一体化した状態で、海上に避難し、海上で、シートを広げ、浮力を付け、シートの上で、救助を待つことで、サメからの被害を軽減し、雨風、日射から体を保護する。【選択図】図１
2020192966.tif 000002
【特許請求の範囲】
【請求項１】
シートは、家族用で、４ｍ四方以上であり、シートの外縁部１０ｃｍより内側部分のシートの上に、人間が入る空間を作る、外縁部１０ｃｍからの、屋根部分のシートがあり、屋根部分のシートには、出入口があり、空間内部には、屋根部分のシートと、下側のシートを結ぶ、柱状のものがある構造となっていて、４ｍ四方以上のシートの外縁部と、その内側部分のシート、屋根部分のシート、柱状のものは、全て、空気を入れる空間（以下、空気層）があり、空気層は、仕切りによって、仕切られていて、一部分が破れたとしても浮力の損失は最小限となり、各空気層には、エア・スプレー缶、予備として、空気用の手動ポンプ、予備として、人間の口から空気を入れる、吸入口があり、シートの外縁部には外側に吸入口があり、外縁部以外は、空間内部に吸入口があり、エア・スプレー缶と、空気用の手動ポンプは、屋根部分のシートの出入口近くから、ひもによって結ばれ、消失防止となっていて、更に外縁部には、ひもが付いていて、他のシートと、つなぎ合わせ、シートの面積を大きくし、空からの捜索をしやすくしているシートを、携帯用として、海の遭難時に使い、家族用で、４ｍ四方以上、１人用で、３ｍ四方以上と、大きな面積にすることで、海ガメや、オットセイなどに間違われず、サメからの被害を軽減し、シートの全ての部分に、空気層を作ることで、浮力を作ると伴に、断熱層となり、雨、風、日射から人間を保護し、レジャーでは、複数人数用の波乗り遊具として、サメの被害を軽減する機能とした、シートの利用方法。
【発明の詳細な説明】
【発明の概要】
【発明が解決しようとする課題】
【０００１】  海上で、遭難した時、救命胴衣だけでは、サメからの被害に弱く、又、雨、風、日射から、体を保護できず、生存率が低くなる。
【課題を解決するための手段】
【０００２】  飛行機や船の事故の時、家族用で、４ｍ四方以上、１人用で、３ｍ四方以上のシートを小さくした形で、袋に入れ、救命胴衣と一体化した状態で、海上に避難し、海上で、シートを広げ、浮力を付け、シートの上で、救助を待つことで、サメからの被害を軽減し、雨風、日射から体を保護する。【０００３】  シートは、家族用で、４ｍ四方以上であり、シートの外縁部１０ｃｍより内側部分のシートの上に、人間が入る空間を作る、外縁部１０ｃｍからの、屋根部分のシートがあり、屋根部分のシートには、出入口があり、空間内部には、屋根部分のシートと、下側のシートを結ぶ、柱状のものがある構造となっていて、４ｍ四方以上のシートの外縁部と、その内側部分のシート、屋根部分のシート、柱状のものは、全て、空気を入れる空間（以下、空気層）があり、空気層は、仕切りによって、仕切られていて、一部分が破れたとしても浮力の損失は最小限となり、各空気層には、エア・スプレー缶、予備として、空気用の手動ポンプ、予備として、人間の口から空気を入れる、吸入口があり、シートの外縁部には外側に吸入口があり、外縁部以外は、空間内部に吸入口があり、エア・スプレー缶と、空気用の手動ポンプは、屋根部分のシートの出入口近くから、ひもによって結ばれ、消失防止となっていて、更に外縁部には、ひもが付いていて、他のシートと、つなぎ合わせ、シートの面積を大きくし、空からの捜索をしやすくしているシートを、携帯用として、海の遭難時に使い、家族用で、４ｍ四方以上、１人用で、３ｍ四方以上と、大きな面積にすることで、海ガメや、オットセイなどに間違われず、サメからの被害を軽減し、シートの全ての部分に、空気層を作ることで、浮力を作ると伴に、断熱層となり、雨、風、日射から人間を保護し、レジャーでは、複数人数用の波乗り道具として、サメの被害を軽減する機能とした、シートの利用方法。
【発明の効果】
【０００４】  シートを大きくすることで、サメからの被害軽減と、雨、風、日射などから、体を保護する空間を作ることができる。【０００５】  雨や波が、シートの上に溜っても、空間内部から、屋根部分のシートを手で持ち上げることで、簡単に、海に戻すことができる。【０００６】  シート外縁部に付いているひもを、他のシートと結ぶことで、シートは大きくなり、サメからの安全性と、空からの捜索の発見性が高くなる。
【発明を実施するための形態】
【０００７】  飛行機や船の事故では、袋に入れたシートと、袋に入れた水と高栄養食品と、海水濾過器を持ち、海に避難する。
【０００８】  海上で、救命胴衣からシートを外し、エア・スプレー缶で、４ｍ四方以上のシートの外縁部の空気層に、１つづつ空気を入れ、シートを広げる。
【０００９】  広がったシートの上に広がり、屋根部分のシートの出入口から中に入り、必要量の浮力を作るため、下側のシートの空気層に空気を入れる。
【００１０】  必要により、柱部分に空気を入れ、屋根を持ち上げ、空間を広げる。
【００１１】  必要により、屋根部分のシートに空気を入れ、断熱層を作る。
【００１２】  漁師など、常にシートを携帯している人は、重さを最小とするため、３ｍ四方以上の大きさで、柱を無くし、屋根部分の空気層を除くこともできる。
【００１３】  シートは、軽量であり、又、サメに咬まれても、穴の穿かない強さのもの。
【図面の簡単な説明】
【００１４】
【図１】  シートの断面図
【図１】
2020192966.tif 000003
(57)【要約】      （修正有）【課題】従来の技術では、チェーンソーの本体を直接手で抱えて扱うので、危険性が高く、森林の伐採作業などでは、悲惨な事故が後を絶たない状況にあった。チェーンソーの事故を無くし、安全なチェーンソーを提供する。【解決手段】チェーンソー８の本体を直接手で抱えて扱うのではなく、金属プレートであるコキ２を樹木の幹にベルト１を用いて固定し、チェーンソー８の本体を装着固定した取付け台７を、コキ２に設けられたボス３に挿入されたＴ字型のアーム５に取り付けた後、樹木の伐採をチェーンソー８から離れた距離でリモコンの操作により樹木の伐採を行えるようにした。【選択図】図１
2020192799.tif 000002
【特許請求の範囲】
【請求項１】
チェーンソーの安全を図るため、チェーンソーの本体を直接手で抱えて扱うのではなく、別途、構造物をチェーンソーに介在させ、リモコン装置などを設け、遠隔操作によりチェーンソーを操作する。
【発明の詳細な説明】
【技術分野】
【０００１】この発明は、チェーンソーの安全を図るべく把持装置を設けて、樹木の幹に把持できるように考慮した、安全装置に関するものである。
【背景技術】
【０００２】従来、チェーンソーの安全装置はチェーンソー本体に設けられているのみで、チェーンソー本体と別途の構造物を介在して切断する様な装置は無かった。
【発明の開示】
【発明が解決しようとする課題】
【０００３】従来の技術では、チェーンソーの本体を直接手で抱えて扱うので、はなはだ危険性が高く、チェーンソーによる振動から起こる白蝋病はもとより、誤ってチェーンソーの刃の部分に触れたり、衣服が巻き込まれる等々の、森林の伐採作業などでは、悲惨な事故が後を絶たない状況にあった。
本発明は、以上のような欠点をなくすためになされたものである。
【課題を解決するための手段】
【０００４】チェーンソーの本体を直接手で抱えて扱うのではなく、飽くまで間接的な操作で作業を行えるようにした。つまり、樹木の幹に本発明のチェーンソーの本体を装着固定した躯体を、予め把持させ取り付けた後、１メター〜１０メターの離れた距離でリモコンの操作により行えるようにした。
本発明は、以上の構成により行うので  チェーンソーの安全が完全に守られる。
【発明の効果】
【０００５】チェーンソーの本体を直接手で抱えて扱うのではなく、飽くまで間接的な操作で作業を行うので極めて安全となる。チェーンソーの本体を直接手で触れるのではなく、チェーンソー本体から離れた距離でリモコンの操作により操作が可能である。従って、チェーンソーによる振動から起こる白蝋病はもとより、誤ってチェーンソーの刃の部分に触れたり、衣服が巻き込まれる等々の、悲惨な事故は本発明によって、皆無となる。
【発明を実施するための最良の形態】
【０００６】以下、本発明を実施するための最良の形態について説明する。
金属プレートの裏側面に複数個の針状の突起物があり、両端からはコキを介して幅広のベルトが伸びている（１）、切断をするべき位置に金属プレートの先端を合わせて、両端から伸びたベルトの一方をコキに潜らせ強く引くことで樹木の幹に完全に把持される。金属プレートの針状の突起物は樹木の幹に食い込み（２）金属プレートが完全に固定される。金属プレート表面の中心位置には、ボスが設けられている。（３）このボスにはＴ字型をしたアームの短い片がボスの外周に挿入され、Ｔ字型をしたアーム（５）が装備されている。更にアームは、普段はベルトと水平方向にあるが、上方向に４５度、或いは１８０度の回転が出来る様になっている。又、チェーンソー（９）を装着固定できる構造の取り付け台（７）は左方向９０度の移動が可能となっている。
仮に５０ｃｍの樹木を伐採しようとする場合は幹から２５ｃｍ水平に切り込み、切り込み終了後、元の位置に戻り、次にアームは４５度の角度の位置に移動、幹に向かって４５度の角度で斜めに切り込み、既に水平に切り込んだ交点で停止し、再び元の位置まで戻り、スタート位置に移動する。チェーソーの取り付け台が９０度回転し上向きとなり、其のままの姿でアームが１８０度回転、次に上向きの取り付け台のチェーソーが９０度回転し横方向の状態となる、最初切り込んだ真逆の方向から切り込んでゆくことで５０ｃｍの大木もボタン操作一つで完了である。
これは、ラジコンにこの順序で作動するよう、セットしておいたのである。２５ｃｍまで切り込む、次に元の位置に戻る、４５度の位置に移動、切り込み開始、切り込み終了後元に戻る、元の水平位置に戻る、取り付け台を９０度上向きにし垂直に立て、其のままの姿勢でアームを１８０度移動、次に取り付け台を９０度寝かせる、切り込み開始、終了後元の位置に戻る、最後にスタート位置に戻る。等々記憶させておき離れた場所でラジコンの開始ボタンを押せば良いのである。
大木を伐採する場合については、前述のとおりであるが、樹木が横倒しの状態に倒れている場合には、切断をしたい位置に金属プレートの先端を合わせて後、リモコンがスタート位置に戻っていることを確認し、切断を記憶させて、開始ボタンを押せば、後は自動的に切断されるのである。
【図面の簡単な説明】
【０００７】
【図１】第１図  本発明の斜視図である。
【図２】第２図  本発明の平面図である。
【図３】第３図  本発明の平面図であり、アーム角度４５度に移動の時を表す。
【図４】第４図  本発明の平面図で有る。スタート位置に戻った時。
【図５】第５図  本発明の平面図で有る。アームが垂直に９０度回転した時。
【図６】第６図  本発明の平面図で有る。アームが垂直に１８０度回転した時。
【図７】第７図  本発明の平面図で有る。アームが垂直に１８０度回転した時。
【図８】第８図  本発明の平面図、アーム１８０度、後方から切り込む姿勢。
【符号の説明】
【０００８】  １        ベルト
２        コキ
３        ボス
４        アーム
５        アーム
６        スライド付属取り付けた台
７        取り付けた台
８        チェーンソー
９        チェーンソー取って
１０      取り付け台移動装置移動装置
１１      モーター
【図１】
2020192799.tif 000003
【図２】
2020192799.tif 000004
【図３】
2020192799.tif 000005
【図４】
2020192799.tif 000006
【図５】
2020192799.tif 000007
【図６】
2020192799.tif 000008
【図７】
2020192799.tif 000009
【図８】
2020192799.tif 000010
(57)【要約】【課題】  ＭＲＩ室の非常用照明器具には光源としてミニ電球、ハロゲン電球が使用されているが、ＭＲＩ室が高磁場環境のためランプフィラメントが磁力により玉切れサイクルが短くなり、いざ停電になった場合に点灯しない危険性がある。  また、電球の代わりにＬＥＤを光源とする照明が提案されているが、ＬＥＤを点灯させる電源には一般にノイズを発生させる制御電源が使用されているので、ノイズの影響で医療機器が誤動作し、画像診断に影響を与えて検査ミスにつながる可能性がある。それに対応するＭＲＩ室用電池内蔵型ＬＥＤ非常用照明器具を提供する。【解決手段】  ＭＲＩ室用電池内蔵型ＬＥＤ非常用照明器具は、電池電圧より数Ｖ高い直流低電圧を電源とし、この直流電圧で限流素子を通じて直接電池を充電し、停電時は電池により直接ＬＥＤモジュールを点灯させる構造とした【選択図】図１
2020031041.tif 000002
【特許請求の範囲】
【請求項１】
電池電圧より数Ｖ高い直流低電圧を電源とし、この直流低電圧で限流素子を通じて直接電池を充電し、停電時は電池により直接ＬＥＤモジュールを点灯させる構造のノイズ源を有しないＭＲＩ室用電池内蔵型ＬＥＤ非常用照明器具。
【発明の詳細な説明】
【技術分野】
【０００１】  本発明は、病院などのＭＲＩ室に設置される電池内蔵型ＬＥＤ非常用照明器具に関するものである。
【背景技術】
【０００２】  ＭＲＩ室の電池内蔵型非常用照明器具には光源としてミニ電球、ハロゲン電球などの白熱電球が使用されているが、ＭＲＩ室が高磁場環境のためランプフィラメントが磁力により玉切れサイクルが短くなり、いざ停電になった場合に点灯しない危険性がある。【０００３】  そのため、白熱電球の代わりにＬＥＤを光源とする照明が提案されているが、ＬＥＤを点灯させる電源は一般にノイズを発生させるスイッチング電源が使用されているので、ノイズの影響でＭＲＩ室内の医療機器が誤動作し、画像診断に影響を与え、検査ミスにつながる可能性がある。
【発明の開示】
【発明が解決しようとする課題】
【０００４】  前記問題点を解決するためには、電池内蔵型非常用照明器具内にノイズを発生させるスイッチング制御電源を有せず、電池内蔵型非常用照明器具の電源を電池電圧より数Ｖ高い直流低電圧とし、電池の充電および光源の点灯はスイッチング動作を行わない回路方式で、光源はＬＥＤにすることによって達成できる。
【課題を解決するための手段】
【０００５】  ＭＲＩ室用電池内蔵型ＬＥＤ非常用照明器具は、直流低電圧を供給電源とし、この直流電圧で限流素子を通じて電池を充電し、停電時は電池により直接ＬＥＤモジュールを点灯させる構造とした。
【発明の効果】
【０００６】  以上のように、本発明によれば電池充電は直接抵抗などの限流素子で電池を充電しているためノイズは発生せず、光源はＬＥＤを使用しているためＭＲＩ室の高磁場の影響を受けず、停電時に点灯しない不具合は発生しない。
【発明を実施するための最良の形態】
【０００７】  以下、図面に基づき本発明の実施の形態を説明する。【０００８】  図１は、本発明の実施例を示すＭＲＩ室に設置される電池内蔵型ＬＥＤ非常用照明器具の回路図の一例である。【０００９】  図１の動作を説明すると直流電圧６Ｖが印加されるとリレーＲＹ１（コイル）が動作し、ＲＹ１（ａ接点）がオンし、ＲＹ１（ｂ接点）がオフする。【００１０】  ＲＹ１（ａ接点）がオンすると電池ＢＡＴ１は抵抗Ｒ３を通して直流電圧６Ｖで充電される。電池ＢＡＴ１を３．６Ｖ品、抵抗Ｒ３を５１Ωに設定すると電池ＢＡＴ１には（６−３．６）／５１＝０．０４７Ａの電流が流れる。抵抗Ｒ３で消費されるロスは０．０４７×０．０４７×５１＝０．１１Ｗとロスは少ない。これは電源が直流低電圧で電池との電圧差が少ないためである。一般のＬＥＤ非常用照明器具は電源が交流１００Ｖまたは２００Ｖと電圧が高く、電池が数Ｖと低いためそのまま電池を抵抗を介して充電すると抵抗の発熱が高くなり実用化はできない。そのため交流の商用電源を使用するときは降圧のスイッチング回路が必要になり、その結果、ノイズが発生するためＭＲＩ室では使用できない。【００１１】  ＬＥＤ２は点灯中は電池ＢＡＴ１が充電中を示す表示灯である。【００１２】  停電で直流電圧６Ｖの印加がなくなるか、非常点灯確認用点検スイッチＳＷ１を動作させるとＲＹ１（ａ接点）はオフし、ＲＹ１（ｂ接点）はオンする。同時に充電中を示す表示灯ＬＥＤ２は消灯し、電池ＢＡＴ１により非常灯モジュールＬＥＤ１は並列に接続された抵抗群Ｒ６〜Ｒ１１で設定された電流で点灯する。【００１３】  上記構成回路は一般に使用されているものであるが、非常灯で初めて電源電圧を直流電圧に設定したこと、直流電圧が６Ｖと定電圧のため電池電圧３．６Ｖとの電圧差が少なく、ノイズの発生する降圧スイッチング回路を使用しなくても回路損失が少ないこと、光源がＬＥＤであるためＭＲＩ室の高磁場の影響を受けず、従来の白熱電球のような非常時の不点灯の危険性はなくなること、ノイズ発生回路が存在しないためＭＲＩ室の医療機器に影響を与えず、画像診断による医療ミスが発生しないなどＭＲＩ室用電池内蔵型ＬＥＤ非常用照明器具として大いに新規性がある。充電、放電切替は接点リレーで行っているが、当然無接点リレーで行っても支障がないことは当然である。
【図面の簡単な説明】
【００１４】
【図１】本発明の一実施例を示すＭＲＩ室用電池内蔵型ＬＥＤ非常用照明器具の回路図
【符号の説明】
【００１５】ＢＡＴ１・・・電池
Ｒ３・・・抵抗
Ｒ６〜Ｒ１１・・・非常灯電流制限抵抗
ＲＹ１・・・リレー
ＬＥＤ１・・・ＬＥＤモジュール
ＬＥＤ２・・・充電表示用ＬＥＤ
ＳＷ１・・・非常灯点検スイッチ
【図１】
2020031041.tif 000003
(57)【要約】      （修正有）【課題】家族や友人と、近場の中・小・河川の清流の穏やかに流れる河川敷の砂地の河原の浅い所で遊ぶ、楽しい魚捕りが出来得る簡単な安全で、安価な魚捕り仕掛け道具の提供。【解決手段】この魚類捕獲仕掛け道具は、合成樹脂、金属等の素材の容器１で、フタ２に設けられた、魚が入る入口孔３と、水の流入孔４を備え容器１内に設置された鏡とエサを備えた仕掛け道具であり、仕掛け道具を水中内に設置し、入口孔３から入った魚が、エサの臭いに誘われて、鏡に写った魚自身の姿を見て、鏡周辺にとどまり、容器１より逃げるのを防止して、魚を捕獲することを特徴とする。【選択図】図１
2020031591.tif 000002
【特許請求の範囲】
【請求項１】
フタ付の容器と、前記容器に設けられた、魚が入る入口と、前記容器内に設置された魚体が写る鏡と、前記容器内に設けられたエサ入れとを備えたことを特徴とする魚類捕獲仕掛け道具。
【請求項２】
水が入り込んで、その流れにより、エサの臭いを前記入口側に送る小孔を備えたことを特徴とする、請求項１に記載の魚類捕獲仕掛け道具。
【請求項３】
複数段に積み上げられるように形成されたことを特徴とする請求項１または請求項２に記載の魚類捕獲仕掛け道具。
【請求項４】
請求項１乃至請求項３のいづれかに記載の魚類捕獲仕掛け道具を、小孔を上流側にして水中内に設置し、エサ入れ内のエサの臭いに誘われて、鏡の前面に来て鏡に写った自身の姿を見て鏡周辺にとどまった魚を捕獲することを特徴とする魚類捕獲方法。
【発明の詳細な説明】
【技術分野】
【０００１】
本発明は、清流、中・小の河川の近場の河原で、水深約１０ｃｍ〜３０ｃｍ位の所に、仕掛け道具を川底にセットして、道具の中に入った魚を捕る方法で、魚類捕獲仕掛け道具として発明した。
【背景技術】
【０００２】
従来の魚捕り（釣り）道具は、一般的に竹竿、道糸、ウキ、おもり、釣り針、網、リール、タモ等々で出来ていて、高価な魚捕り（釣り）道具として構成されている。
【０００３】
この道具は合成樹脂、金属の素材で製造構成されているフタ付の容器のフタに、直径約４〜５ｃｍの魚の入口となる、入口孔を開けて、容器の中の空間に、鏡と匂いの出るネリエサを入れた、安価で造れる魚類捕獲仕掛け道具である。
【先行技術文献】
【特許文献】
【０００４】
【特許文献１】特開２００５−１２４４７５号公報
【特許文献２】特開２０１６−１８５１１３号公報
【発明の概要】
【発明が解決しようとする課題】
【０００５】
本発明は、従来の魚捕り（釣り）道具は、竿、道糸、ウキ、おもり、釣り針、エサで構成されており、全部そろえれば高額になり、この道具はポリプロピレン、金属の素材で出来た容器で、安価に買え、鏡、市販のエサ、味噌、フタに魚の入口孔と、水の流入孔を設ければ、楽しく遊べる魚類捕獲仕掛け道具となる。
【課題を解決するための手段】
【０００６】
上記目的を達成するために、合成樹脂、金属等の素材で、フタ付の容器で、フタに設けられた、魚が入る入口孔と、水の流入孔を備え容器内に設置された、鏡とエサを備えた仕掛け道具であり、仕掛け道具を、水中内に設置し、入口孔から入った魚が、エサの臭いに誘われて、鏡の前にきて、鏡に写った魚自身の姿を見て、鏡周辺にとどまり逃げるのを防止した魚を、道具を仕掛けて１５分位後に道具を取り上げ、メダカ、稚魚および、成魚を捕獲することを特徴とする、魚類捕獲仕掛け道具として発明した。
【発明の効果】
【０００７】
以上の発明により明らかなように、本発明は、次に列挙する効果が得られる。
（１）容器の容量が約４〜５リットル程で、軽量にて、安価に販売され買えるため、中の収容空間に魚の姿が写る鏡やアルミ箔の平版を入れ、エサも市販の味噌で良く、手軽にそろえることができる仕掛け道具。
【０００８】
（２）この仕掛け道具は、安価に買える為、３〜４ｍ離して、２コ、３コとセットしたり又２段、３段と重ねてとセットすれば、魚果も２〜３倍になれば、楽しい仕掛け道具となる。
【図面の簡単な説明】
【０００９】
【図１】本発明を実施するための最良の第１の形態、容器にフタをした斜視図である。
【図２】図１より、フタを外した斜視図で、中の収容空間に鏡と匂いの出る寄せエサが入った図である。
【図３】図２に、布地に入口孔と流入口を設け、容器にゴムバンドでフタをした斜視図である。
【発明を実施するための形態】
【００１０】
以下本発明の形態の実施を図に基づいて説明する。
本実施形態の魚類捕獲仕掛け道具は、フタ付きの容器と、魚が入る入口と、容器内に設置された鏡と、容器内に設けられたエサ入れと、水が入り込む小孔とで構成されている。以下、各部材について説明する。
【実施例１】
【００１１】
図１及び図２において、容器１は合成樹脂、金属等で箱状に形成され、上面が開口している。容器１の開口はフタ２が着脱自在に取り付けられている（フタの色は砂地色が良色）。
【実施例２】
【００１２】
フタ２の一端側には、直径４〜５ｃｍ程度の大きさの、魚が入る入口３が設けられている。また。フタ２の他端側には、直径３〜４ｍｍ程度の水が流入する小孔４が２個間隔をあけて設けられている。小孔４から流入した水は、入口３から流出するようになっている。
【実施例３】
【００１３】
容器１の底面には、容器１内に入った魚が写る鏡５が設置されている。また容器１の底面において、フタ２の小孔４側には、味噌等のねりエサである寄せエサが収容されるエサ入れ６が据え付けられている。
【実施例４】
【００１４】
次に、このように構成された魚類捕獲仕掛け道具を用いて魚を捕獲する方法を説明する。
(1)上流側に小孔４が位置し、下流側に入口孔３が位置するように、魚類捕獲仕掛け道具を川床に設置する。
(2)魚類捕獲仕掛け道具が、川床に設置されると、小孔４から容器１内に流入した水は、入口３から流出する。これに伴ってエサ入れ６内のエサの臭いは下流側に流れる。
【実施例５】
【００１５】
エサの臭いで魚類が入口孔３から容器１内に入り込み鏡５の前面に来て、鏡に写った魚自身の姿を見て、鏡周辺にとどまり、容器内より逃げるのを防止した魚を捕獲することを特徴とした仕掛け道具となる。
【実施例６】
【００１６】
フタ付の発泡ポリエチレンの容器も、フタに魚の入口と水の流れの入口を開け、容器の底に、オモシに成る、砂や石を入れて、道具が流れぬよう、川底や海底にセットすれば、中型魚類が捕れる、魚類捕獲仕掛け道具である。
【産業上の利用可能性】
【００１７】
本発明は、野外ファミリー、健康・遊具として利用されれば、休日・バカンスを楽しく過ごせる、心のケア、健康回復の一助となる。
【符号の説明】
【００１８】
１  合成樹脂の素材の容器
２  容器のフタ
３  魚類が入る入口孔
４  下方へ流す水を取り込む流入孔(小孔)
５  中に入った魚の魚体が写る鏡
６  寄せエサで味噌等のねりエサ
７  魚の入口孔と水の流入孔を開けた、布地のフタ
８  布地のフタを容器に取り付けるゴムバンド
【図１】
2020031591.tif 000003
【図２】
2020031591.tif 000004
【図３】
2020031591.tif 000005
(57)【要約】【課題】挟み皺や折り目の発生を防止し、ズボン本来の形状のままで掛けることが出来、収納スペースの無駄を省くことが可能なズボンハンガーを提供する。【解決手段】フックと１つの平板からなるハンガー本体を有するズボンハンガーにおいて、ハンガー本体の上辺部の左右に２つ以上の水平に配置された凹凸部にズボン側面部のベルトループを吊るす。ハンガー本体の下辺部の中心線より横にずれた箇所にある切り欠きからハンガー本体の上辺に向かって空間を形成し、その空間と前記切り欠きにより形成した、前記凹凸部より低い位置にあり、ハンガー本体の下辺部の一部を成す水平方向にのびる面積の異なる第１凸片と第２凸片にズボン後部のベルトループを切り欠きより通して吊るす。ズボン後部のベルトループが後真中に１つの場合は第１凸片に吊るし、ズボン後部のベルトループが後真中より横にずれた箇所に１つ以上の場合は前記第１凸片と第２凸片に吊るす。【選択図】図１
2020031876.tif 000002
【特許請求の範囲】
【請求項１】
フック部とハンガー本体から構成されるズボンハンガーにおいて、ハンガー本体の上辺部の左右に1つ以上の凹凸部があり、ハンガー本体の下辺部の中心線より横にずれた箇所にある切り欠きからハンガー本体の上辺に向かって空間を形成し、その空間に沿って下辺部に面積の異なる第１凸片と第２凸片を設けていることを特徴とするズボンハンガー。
【発明の詳細な説明】
【技術分野】
【０００１】
本発明は、ベルトループを利用してズボンを掛けるためのハンガーに関するものである。
【背景技術】
【０００２】
従来のズボン用のハンガーは、ズボンを掛ける際、ハンガー本体もしくは付属部品でズボンを挟む（特許文献１）、または、ズボンを折りたたむことを前提としている（特許文献２）ことにより、ズボンに折り目や挟み皺がつくという問題がある。さらにズボンを折りたたむ事により厚みが増し、収納スペースを圧迫することも問題である。
【先行技術文献】
【特許文献】
【０００３】
【特許文献１】特開平１０−８５４９３号公報（特許請求範囲、図２）
【特許文献２】特開平８−１９１７４９号公報（特許請求範囲、図1）
【発明の概要】
【発明が解決しようとする課題】
【０００４】
本発明は、ズボンを折りたたむことなくハンガーに掛けることにより、折り目や皺がつくことを防止し、さらに収納スペースの無駄を省くズボンハンガーを提供するものである。
【課題を解決するための手段】
【０００５】
前記目的を達成するため、本発明はフック部とハンガー本体から構成されるズボンハンガーにおいて、ハンガー本体の上辺部の左右に1つ以上の凹凸部があり、ハンガー本体の下辺部の中心線より横にずれた箇所にある切り欠きからハンガー本体の上辺に向かって空間を形成し、その空間に沿って下辺部に面積の異なる第１凸片と第２凸片を設けていることを特徴とするものである。
【発明の効果】
【０００６】
本発明のズボンハンガーは、ズボンを挟むことによる固定や、折りたたむ必要がなくなるので、挟み皺や折り目が発生することを防止し、さらに収納スペースの無駄を省くことができる。また、ズボン後部のベルトループが１つである場合も、１つ以上ある場合もバランス良くズボンを掛けることができる。
【図面の簡単な説明】
【０００７】
【図１】本発明の正面図である。
【図２】本発明の使用状態を示すもので、ベルトループが１つである場合の正面図である。
【図３】本発明の使用状態を示すもので、ベルトループが１つ以上である場合の正面図である。
【発明を実施するための形態】
【０００８】
図１は、本発明のズボンハンガーを示す図である。本発明は図１に示すようにフック部２とハンガー本体３で構成されている。フック部２はハンガー本体３の上辺部の略真中に固設されており、ハンガー本体３の上辺部のほぼ両端部には様々なズボンの大きさに対応できるよう、１つ以上の凹凸部４を設けている。様々なズボンのサイズに対応するためには、凹凸部４は複数設けたほうが良い。ハンガー本体３の下辺部には中心線より横にずれた箇所に切り欠き５を設け、ハンガー本体３の上辺に向かって空間６を形成することにより、下辺部に面積の異なる第１凸片７と第２凸片８を設ける。図示されているように、第１凸片７は中心線より第２凸片８に向かって伸びており、第２凸片８に比して面積が大きく空間６側の上辺の長さは長い。一方、第２凸片８は第１凸片７より面積が小さく空間６側の上辺の長さは短い。
【０００９】
図２及び図３に沿って、本発明の使用状態を説明する。図２はズボン９の腰の後部にあるベルトループ１０が後ろ真中に１つの場合を示している。ズボン９後部のベルトループ１０を第１凸片７に吊るし、ズボン９側面部のベルトループ１０をハンガー本体３の上辺部の左右にある凹凸部４に吊るすことで、バランスよくズボン９を掛けることができる。図３はズボン９後部にあるベルトループ１０が後真中より横にずれた箇所に２つの場合を示している。ズボン９後部のベルトループ１０を第１凸片７と第２凸片８に吊るす。ズボン９の側面部のベルトループ１０をハンガー本体３の上辺部の左右にある凹凸部４に吊るすことで、バランスよくズボン９を掛けることができる。このように、本発明のズボンハンガーはベルトループがどの位置にあっても対応できる。
【符号の説明】
【００１０】
１    ズボンハンガー
２    フック部
３    ハンガー本体
４    凹凸部
５    切り欠き
６    空間
７    第１凸片
８    第２凸片
９    ズボン
１０  ベルトループ
【図１】
2020031876.tif 000003
【図２】
2020031876.tif 000004
【図３】
2020031876.tif 000005
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
フックと１つの平板からなるハンガー本体を有するズボンハンガーにおいて、ハンガー本体の上辺部の左右に２つ以上の凹凸部が水平に配置され、ハンガー本体の下辺部の中心線より横にずれた箇所にある切り欠きからハンガー本体の上辺に向かって空間を形成し、その空間と前記切り欠きにより面積の異なる第１凸片と第２凸片を水平方向に且つ前記凹凸部より低い位置に形成し、その第１凸片と第２凸片の下端がハンガー本体の下辺部の一部を成していることを特徴とするズボンハンガー。
【手続補正３】
【補正対象書類名】明細書
【補正対象項目名】０００９
【補正方法】変更
【補正の内容】
【０００９】
図２及び図３に沿って、本発明の使用状態を説明する。図２はズボン９の腰の後部にあるベルトループ１０が後真中に１つの場合を示している。ズボン９後部のベルトループ１０を第１凸片７に吊るし、ズボン９側面部のベルトループ１０をハンガー本体３の上辺部の左右にある凹凸部４に吊るすことで、バランスよくズボン９を掛けることができる。図３はズボン９後部にあるベルトループ１０が後真中より横にずれた箇所に２つの場合を示している。ズボン９後部のベルトループ１０を第１凸片７と第２凸片８に吊るす。ズボン９の側面部のベルトループ１０をハンガー本体３の上辺部の左右にある凹凸部４に吊るすことで、バランスよくズボン９を掛けることができる。このように、本発明のズボンハンガーはベルトループがどの位置にあっても対応できる。
(57)【要約】【課題】爪楊枝の先端を平たく削る爪楊枝先端削り器を提供する。【解決手段】本体（１）に中空部（３）を設け、平刀（６）とそれを抑えるバネ（５）、削りかすを開口部（１０）の外へ排出する為の削りかす誘導板（９）を設けたことを特徴とする。【選択図】図１
2020036863.tif 000002
【特許請求の範囲】
【請求項１】
本体（１）に中空部（３）を設け、平刀（６）とそれを抑えるバネ（５）、削りかすを開口部（１０）の外へ排出する為の削りかす誘導板（９）を設けたことを特徴とする爪楊枝先端削り器。
【発明の詳細な説明】
【技術分野】
【０００１】  この発明は、爪楊枝の先端を平たく削る爪楊枝先端削り器に関するものである。
【背景技術】
【０００２】  従来、爪楊枝の先端を平たく削る専用のものがなかった。
【先行技術文献】
【特許文献】
【０００３】
【特許文献１】
【発明の概要】
【発明が解決しようとする課題】
【０００４】  これは、次のような欠点があった。
従来、爪楊枝は先端が円錐形の物が多く、歯間の食べかすを取り除く時、爪楊枝の厚みが邪魔をしたり接触面積が狭かったりして食べかすを取り除きにくかった。
本発明は、以上のような欠点をなくすためになされたものである。
【問題を解決するための手段】
【０００５】  本体（１）に中空部（３）を設け、平刀（６）とそれを抑えるバネ（５）、削りかすを開口部（１０）の外へ排出する為の削りかす誘導板（９）を設ける。
本発明は、以上の構成よりなる爪楊枝先端削り器である。
【発明の効果】
【０００６】  本発明の爪楊枝先端削り器は、爪楊枝の先端を平たく削る事で、歯間への挿入がしやすく、爪楊枝と歯との接触面積が広く歯間の食べかすを取り除きやすい。また、使用する時に削るため衛生的である。
【図面の簡単な説明】
【０００７】
【図１】本発明の平面図
【図２】本発明の正面図
【課題を実施するための形態】
【０００８】  以下、本発明を実施するための形態について説明する。
本体（１）に中空部（３）を設け、平刀（６）とそれを抑えるバネ（５）、削りかすを開口部（１０）の外へ排出する為の削りかす誘導板（９）を設ける。
本発明は、以上のような構造である。
本発明を使用する時は、本体（１）の挿入口（２）に爪楊枝（１１）を挿入し、中空部（３）内の平刀（６）の刃先（７）に爪楊枝（１１）が接触するとバネ（５）で抑えられていた平刀（６）が外向きに可動する。その時、平刀（６）に接触していた削りかす誘導板（９）も平刀（６）の動きに合わせて曲がる為、爪楊枝（１１）は開口部（４）に向かって移動する事が出来る。爪楊枝（１１）を中空部（３）から開口部（４）へ通し爪楊枝先端（１２）を開口部（４）から少し出す。爪楊枝先端（１２）が開口部（４）から出ている事を確認出来たら、爪楊枝（１１）を挿入口（２）から中空部（３）を通した逆方向に挿入口（２）から爪楊枝（１１）を引き抜く。引く抜く時、バネ（５）で抑えられている平刀（６）の刃先（７）が爪楊枝（１１）を削る。削りかすは削りかす誘導板（９）を通り開口部（１０）から本体（１）の外へ排出する。引き抜いた爪楊枝（１１）を１８０℃回転させてから、再度、挿入口（２）から挿入して同様の動作をすると爪楊枝先端（１２）が平たく削られる。
【符号の説明】
【０００９】  １  本体
２  挿入口
３  中空部
４  開口部
５  バネ
６  平刀
７  刃先
８  切れ刃
９  削りかす誘導板
１０  開口部
１１  爪楊枝
１２  爪楊枝先端
【図１】
2020036863.tif 000003
【図２】
2020036863.tif 000004